(57)【特許請求の範囲】
【請求項１】
タイマー予約設定機能を有する受信機である外部機器に連動して記録動作を行う映像音声信号記録装置であり、
前記外部機器から出力される映像音声信号を受信するための映像音声信号受信端子と、
放送信号を受信するためのチューナと、
前記映像音声信号受信端子からの映像音声信号と、前記チューナからの映像音声信号との何れか一方を選択出力する選択出力部と、
前記選択出力部の出力する映像音声信号を記録媒体に記録する記録部と、
前記記録媒体の挿入及び排出を行う機構部と、
電源をオフにすると共に前記機構部における前記記録媒体の排出を禁止させた待機状態へと移行させる待機状態設定部と、
前記外部機器から出力されるリモコン信号を、ケーブルを介して受信するリモコン信号受信端子と、
前記リモコン信号受信端子の出力と、前記待機状態設定部からの設定情報とに応じて、前記記録部と前記選択出力部とを制御する制御部とを備え、
前記制御部は、前記待機状態設定部において待機状態が設定されている期間中に前記外部機器から受信した当該装置の電源オンにさせるリモコン信号に応答して電源をオンさせた後に、前記外部機器から受信した記録を開始させるリモコン信号に応答して、前記記録部における記録を開始させ、前記外部機器から受信した記録を停止させるリモコン信号に応答して、前記記録部における記録を停止させるようにしたことを特徴とする映像音声信号記録装置。
【請求項２】
前記制御部は、前記外部機器から出力される電源のオンを示すリモコン信号に応答して、前記選択出力部が前記映像音声受信端子からの映像音声信号を選択出力するよう前記選択出力部を制御するようにしたことを特徴とする請求項１記載の映像音声信号記録装置。
【請求項３】
前記制御部は、前記待機状態設定部において待機状態が設定されることに応答して、前記選択出力部が前記映像音声受信端子からの映像音声信号を選択出力するよう前記選択出力部を制御するようにしたことを特徴とする請求項１記載の映像音声信号記録装置。
【請求項４】
前記機構部によって前記記録媒体の挿入が行われているか否かを検出する記録媒体検出部を更に備え、
前記待機状態設定部において待機状態が設定された状態で、前記記録媒体検出部により前記記録媒体が挿入されていることが検出されなかった場合には、警告表示を行うことを特徴とする請求項１記載の映像音声信号記録装置
【請求項５】
前記リモコン信号は、第１及び第２の信号線を有する前記ケーブルにおける一方の信号線の電圧のみを変化させることにより伝送されており、
前記第１の信号線と前記第２の信号線との間に電位差が生じているか否かに応じて前記リモコン信号を検出する信号検出部を更に設けたことを特徴とする請求項１記載の映像音声信号記録装置。
【請求項６】
前記リモコン信号は、所定周波数の搬送波に重畳して伝送されており、前記信号検出部で検出したリモコン信号における前記搬送波を除去する搬送波除去部を更に設け、前記搬送波除去部にて前記搬送波を除去したリモコン信号を前記制御部に供給するようにしたことを特徴とする請求項５記載の映像音声信号記録装置。
【請求項７】
前記映像音声信号受信端子で受信した映像音声信号に含まれる同期信号を検出し、検出信号を前記制御部に供給する同期検出部を更に備え、
前記制御部は、前記待機状態設定部において待機状態が設定されている期間中に前記外部機器から受信した当該装置の電源オンにさせるリモコン信号に応答して電源をオンさせた後に、前記外部機器から受信した記録を開始させるリモコン信号に応答して前記記録部における記録を開始させる第１のモードと、前記待機状態設定部において待機状態が設定されている期間中に前記同期検出部で検出した同期信号に応答して前記記録部における記録を開始させる第２のモードとに設定可能であることを特徴とする請求項１乃至６の何れか一項記載の映像音声信号記録装置。
【発明の詳細な説明】
【０００１】
【発明の属する技術分野】
本発明は、外部機器の動作に連動して映像音声信号を記録する映像音声信号記録装置に関する。
【０００２】
【従来の技術】
映像音声信号を磁気テープに記録するビデオテープレコーダ（以下、ＶＴＲと記す）が広く普及している。このＶＴＲは、一般的に、アナログ地上波放送とアナログＢＳ放送を受信するためのチューナを搭載しており、これらの放送によって送信される番組は単体で録画できる。
【０００３】
一方、近年では、ＣＳデジタル放送やＢＳデジタル放送が普及しつつあるが、これらの放送によって送信される番組を録画するには、ＣＳ放送あるいはＢＳ放送の受信機をＶＴＲに接続し、これらの受信機から出力される映像音声信号をＶＴＲの外部入力を通じて記録することになる。
【０００４】
そして、ＣＳ放送あるいはＢＳ放送によって送信される番組をＶＴＲでタイマー録画する場合、これらの受信機とＶＴＲとの両方の機器に予約設定をする必要があり、その操作が煩雑であった。そこで、一部のＶＴＲでは、ＶＴＲ側でのタイマー予約操作を省略できるよう、外部入力端子に信号が入来しているか否かを検出し、映像音声信号が検出され始めたタイミングで録画を開始させる一方、映像音声信号が検出されなくなったタイミングで録画を停止させていた。
【０００５】
【発明が解決しようとする課題】
しかしながら、このように単に映像音声信号が入来するか否かで録画を開始または停止させた場合、タイマー予約とは無関係に、使用者が受信機の電源をＯＮにしただけでＶＴＲが録画を開始することになってしまうため、使い勝手が良くないという問題があった。
【０００６】
また、近年では、この受信機のタイマー予約動作に連動して、赤外光等によりＶＴＲをリモコン制御できるよう、リモコン送信機を接続するための端子を備えた受信機が出現している。図４は、このようにリモコン制御によりＶＴＲの録画を連動させる場合のシステム構成を示す図であり、ＶＴＲ４００の映像信号入力端子Ｖｉｎには、受信機５００の映像信号出力端子Ｖｏｕｔからの映像信号が入来しており、ＶＴＲ４００の音声信号入力端子Ａｉｎには、受信機５００の音声信号出力端子Ａｏｕｔからの音声信号が入来している。
【０００７】
また、受信機５００のコントロール信号出力端子ＣＴＬｏｕｔには、ケーブルＣＶを介してリモコン送信機５０１が接続されており、このリモコン送信機５０１は、ＶＴＲ４００のリモコン受信機４０１がリモコン送信機５０１からのリモコン信号を受信できるような位置に設置してある。そして、受信機５００のタイマー予約動作に連動して、ＶＴＲ４００の電源のＯＮ・ＯＦＦ、録画開始及び停止の制御を行っている。
【０００８】
ところが、図４に示す如くシステムの場合、リモコン送信機５０１とリモコン受信機４０１との間に障害物があれば、リモコン受信機４０１はリモコン信号を受信することができないため、例えば、受信機５００のタイマー予約動作時に何らかの障害物が存在すれば、正常な録画を行うことができなかった。
【０００９】
また、ＶＴＲ４００の電源をＯＮにするリモコン信号とＯＦＦにするリモコン信号とは、同一の信号であるため、タイマー予約動作直前にＶＴＲ４００の電源がＯＮであれば、タイマー予約動作開始時点で、ＶＴＲ４００の電源がＯＦＦになり、正常な録画を行うことができないという問題があった。また、ＶＴＲ４００の電源ＯＮ時点で、ＶＴＲ４００が外部入力状態となるよう予め設定をしておかない限り、正常な録画を行うことができないという問題もあった。
【００１０】
更に、ＶＴＲ４００は、単にリモコン受信機４０１を介して入来するリモコン信号によって動作しているだけであるので、カセットを入れ忘れていても何の警告表示もされず、カセットの入れ忘れにより録画を失敗してしまうというおそれもあった。
【００１１】
本願発明は、これらの問題点に鑑みなされたものであり、タイマー録画予約された外部機器に連動して、簡単且つ確実に番組を録画することのできる映像音声信号記録装置を提供することを目的とする。
【００１２】
【課題を解決するための手段】
以上の課題を解決するために、本発明に係る映像音声信号記録装置は、
タイマー予約設定機能を有する受信機である外部機器に連動して記録動作を行う映像音声信号記録装置であり、
前記外部機器から出力される映像音声信号を受信するための映像音声信号受信端子と、
放送信号を受信するためのチューナと、
前記映像音声信号受信端子からの映像音声信号と、前記チューナからの映像音声信号との何れか一方を選択出力する選択出力部と、
前記選択出力部の出力する映像音声信号を記録媒体に記録する記録部と、
前記記録媒体の挿入及び排出を行う機構部と、
電源をオフにすると共に前記機構部における前記記録媒体の排出を禁止させた待機状態へと移行させる待機状態設定部と、
前記外部機器から出力されるリモコン信号を、ケーブルを介して受信するリモコン信号受信端子と、
前記リモコン信号受信端子の出力と、前記待機状態設定部からの設定情報とに応じて、前記記録部と前記選択出力部とを制御する制御部とを備え、
前記制御部は、前記待機状態設定部において待機状態が設定されている期間中に前記外部機器から受信した当該装置の電源オンにさせるリモコン信号に応答して電源をオンさせた後に、前記外部機器から受信した記録を開始させるリモコン信号に応答して、前記記録部における記録を開始させ、前記外部機器から受信した記録を停止させるリモコン信号に応答して、前記記録部における記録を停止させるようにしたことを特徴とするものである。
【００１３】
また、前記制御部は、前記外部機器から出力される電源のオンを示すリモコン信号に応答して、前記選択出力部が前記映像音声受信端子からの映像音声信号を選択出力するよう前記選択出力部を制御するようにしたことを特徴とするものである。
【００１４】
また、前記制御部は、前記待機状態設定部において待機状態が設定されることに応答して、前記選択出力部が前記映像音声受信端子からの映像音声信号を選択出力するよう前記選択出力部を制御するようにしたことを特徴とするものである。
【００１５】
また、前記機構部によって前記記録媒体の挿入が行われているか否かを検出する記録媒体検出部を更に備え、
前記待機状態設定部において待機状態が設定された状態で、前記記録媒体検出部により前記記録媒体が挿入されていることが検出されなかった場合には、警告表示を行うことを特徴とするものである。
【００１６】
また、前記リモコン信号は、第１及び第２の信号線を有する前記ケーブルにおける一方の信号線の電圧のみを変化させることにより伝送されており、
前記第１の信号線と前記第２の信号線との間に電位差が生じているか否かに応じて前記リモコン信号を検出する信号検出部を更に設けたことを特徴とするものである。
【００１７】
また、前記リモコン信号は、所定周波数の搬送波に重畳して伝送されており、前記信号検出部で検出したリモコン信号における前記搬送波を除去する搬送波除去部を更に設け、前記搬送波除去部にて前記搬送波を除去したリモコン信号を前記制御部に供給するようにしたことを特徴とするものである。
【００１８】
また、前記映像音声信号受信端子で受信した映像音声信号に含まれる同期信号を検出し、検出信号を前記制御部に供給する同期検出部を更に備え、
前記制御部は、前記待機状態設定部において待機状態が設定されている期間中に前記外部機器から受信した当該装置の電源オンにさせるリモコン信号に応答して電源をオンさせた後に、前記外部機器から受信した記録を開始させるリモコン信号に応答して前記記録部における記録を開始させる第１のモードと、前記待機状態設定部において待機状態が設定されている期間中に前記同期検出部で検出した同期信号に応答して前記記録部における記録を開始させる第２のモードとに設定可能であることを特徴とするものである。
【００１９】
【発明の実施の形態】
以下、本発明の実施の形態につき、好ましい実施例により詳細に説明する。
図１は、本発明の実施例に係る映像音声信号記録装置と外部機器との接続状態を説明するための図であり、同図では、映像音声信号記録装置１００に、外部機器である第１の受信機２００と第２の受信機３００とを接続した状態を示している。
【００２０】
ここで、第１の受信機２００は、映像信号出力端子Ｖｏｕｔと音声信号出力端子Ａｏｕｔの他に、図４で示したリモコン送信機５０１内のＬＥＤを発光させるためのコントロール信号を出力するコントロール信号出力端子ＣＴＬｏｕｔを備える装置であり、第２の受信機３００は、映像信号出力端子Ｖｏｕｔと音声信号出力端子Ａｏｕｔは備えるが、コントロール信号出力端子ＣＴＬｏｕｔは備えない装置である。
【００２１】
また、ここでは、図示の如く、第１の受信機２００のコントロール信号出力端子ＣＴＬｏｕｔ、映像信号出力端子Ｖｏｕｔ、音声信号出力端子Ａｏｕｔが夫々、映像音声信号記録装置１００のコントロール信号入力端子ＣＴＬｉｎ、第１の映像信号入力端子Ｖ１ｉｎ、第１の音声信号入力端子Ａ１ｉｎと接続され、第２の受信機３００の映像信号出力端子Ｖｏｕｔ、音声信号出力端子Ａｏｕｔが夫々、映像音声信号記録装置１００の第２の映像信号入力端子Ｖ２ｉｎ、第２の音声信号入力端子Ａ２ｉｎと接続されているものとする。なお、第１の受信機２００のコントロール信号出力端子ＣＴＬｏｕｔと映像音声信号記録装置１００のコントロール信号入力端子ＣＴＬｉｎとは、φ３．５プラグを両端に有するケーブルで接続されているものとする。
【００２２】
また、図２は、本発明に係る映像音声信号記録装置の構成を説明するためのブロック図であり、同図において、１はコントロール信号入力端子ＣＴＬｉｎを介して入来するリモコン信号を検出する信号検出部、２は信号検出部２で検出したリモコン信号を反転させるＨ／Ｌ反転部、３はＨ／Ｌ反転部２の出力するリモコン信号のキャリアを除去するキャリア除去部である。
【００２３】
また、５は地上波放送またはＢＳアナログ放送等を受信するためのチューナ、６は第１の映像信号入力端子Ｖ１ｉｎと第２の映像信号入力端子Ｖ２ｉｎとチューナ５とから出力される映像信号の何れかを選択出力する映像信号切換部、７は映像信号切換部６が選択出力した映像信号に所定の信号処理を施し、これを記録媒体２０に記録する映像信号記録部、８は映像信号切換部６の出力に同期信号が存在するか否かを検出する同期信号検出部である。
【００２４】
一方、９は第１の音声信号入力端子Ａ１ｉｎと第２の音声信号入力端子Ａ２ｉｎとチューナ５とから出力される音声信号の何れかを選択出力する音声信号切換部、７は音声信号切換部６が選択出力した音声信号に所定の信号処理を施し、これを記録媒体２０に記録する音声信号記録部である。そして、１１は記録媒体２０が収納されるカセットが本映像音声信号記録装置に挿入されているか否かを検出するカセット有無検出部、１２はカセットに設けらている記録防止制御用孔を検出する孔検出部である。
【００２５】
なお、図示の如く、ＣＰＵ４はキャリア除去部３、リモコン受信部１４、操作部１３、カセット有無検出部１１、カセット孔検出部１２、同期信号検出部８の夫々の出力を受けられるようこれらの構成と接続され、また、映像信号切換部６、映像信号記録部７、音声信号切換部９、音声信号記録部１０の夫々を制御できるようこれらの構成とも接続されている。また、ここでは図示しないが、本映像音声信号記録装置には、記録媒体２０が収納されるカセットの挿入及び排出を行うための機構部が設けられている。
【００２６】
次に、本発明に係る映像音声信号記録装置の動作について説明する。
まず、使用者は、外部機器に連動して録画を実行させる際に、接続されている機器に応じたモードを選択する。ここで、本映像音声信号記録装置は、コントロール信号入力端子ＣＴＬｉｎを介して入来するリモコン信号に基づき録画を実行させるリンク予約モードと同期信号検出部８で検出される同期信号に基づき録画を実行させる着信予約モードとを備える。
【００２７】
そして、図１に示す第１の受信機２００の如くコントロール信号出力端子ＣＴＬｏｕｔを備える装置に連動して録画を実行させる際には、リンク予約モードを選択する一方、図１に示す第２の受信機３００の如くコントロール信号出力端子ＣＴＬｏｕｔを備えない装置に連動して録画を実行させる際には、着信予約モードを選択する。
【００２８】
以下、コントロール信号出力端子ＣＴＬｏｕｔを備える外部機器に連動して録画を実行するリンク予約モード時の動作を説明する。使用者は、例えば、本映像音声信号記録装置のメニュー画面にてリンク予約モードを設定し、更に、操作部１３にて所定のボタンを押すことにより映像音声信号記録装置を待機状態にする。
【００２９】
なお、映像音声信号記録装置が待機状態になった際に、カセット有無検出部１１にてカセットが挿入されていないことが検出されるか、あるいは、カセット孔検出部１２にて記録防止制御用孔が検出された場合には、本映像音声信号記録装置の前面に設けられる図示しない表示部で警告表示を行う。また、この待機状態では、操作部１３による電源ＯＮの指示やカセットの排出指示は受け付けられず、この待機状態を解除するには、待機状態に移行させた所定のボタンを所定時間押す必要がある。
【００３０】
そして、このような待機状態において、コントロール信号入力端子ＣＴＬｉｎを介してリモコン信号が入来すると信号検出部１は、このリモコン信号を検出する。そして、信号検出部１の出力がＨ／Ｌ反転部２を介して出力され、更にキャリア除去部３を通過してＣＰＵ３に供給される。
【００３１】
ここで、図３は、コントロール信号入力端子ＣＴＬｉｎからＣＰＵ４までの構成を詳細に示す図である。図示の如く、信号検出部１は抵抗Ｒ１、Ｒ２とトランジスタＴ１により構成され、Ｈ／Ｌ反転部２は抵抗Ｒ３、Ｒ４とトランジスタＴ２により構成され、キャリア除去部３は電圧源Ｖｃと抵抗Ｒ６とコンデンサＣ１により構成される。
【００３２】
なお、抵抗Ｒ５、Ｒ７は、流れる電流を制限し、各素子を保護するために設けられている。また、図３に示す各素子は、Ｒ１、Ｒ２、Ｒ３、Ｒ４＝１０ｋΩ、Ｒ５＝１００Ω、Ｒ６＝４７ｋΩ、Ｒ７＝１ｋΩ、Ｃ１＝１０ｍＦ、Ｖｃ＝５Ｖに設定されているものとする。
【００３３】
まず、コントロール信号入力端子ＣＴＬｉｎに入来するリモコン信号について説明すると、このリモコン信号は、本来、図４で示したリモコン送信機５０１内のＬＥＤを点灯させるための信号であり、第１の信号線と第２の信号線とを有するケーブルを介して所定のキャリアに重畳して送信される。そして、この信号の電送方法としては、−電極の電位を固定にして、＋電極の電位を変化させる方法と、＋電極の電位を固定にして、−電極の電位を変化させる方法とがあるが、本映像音声信号記録装置は、その両方の電送方法に対応している。
【００３４】
外部機器のタイマー予約動作に連動して、コントロール信号入力端子ＣＴＬｉｎの＋電極または−電極にリモコン信号が入来すると、トランジスタＴ１がＯＮ状態となり、コレクタとエミッタとが接続される。
【００３５】
例えば、−電極の電位を固定にして、＋電極の電位を変化させることによりリモコン信号を電送する方法では、−電極は常に０Ｖであり、＋電極を例えば２〜３Ｖ程度に変化させることによりリモコン信号が電送される。一方、＋電極の電位を固定にして、−電極の電位を変化させることによりリモコン信号を電送する方法では、＋電極は常に５Ｖであり、−電極を例えば２〜３Ｖ程度に変化させることによりリモコン信号が電送される。
【００３６】
従って、一方の電極における電圧の変化のみを検出したのでは、両方の伝送方法に対応できないが、本映像音声信号記録装置では、＋電極と−電極との間における電位差を検出しているため、これら何れの方法で電送される場合でもトランジスタＴ１がＯＮ状態となり、信号を検出することができる。
【００３７】
そして、トランジスタＴ１のエミッタとＨ／Ｌ反転部２とが接続されているため、トランジスタＴ１がＯＮ状態となるとトランジスタＴ２のベース電圧がＨとなり、トランジスタＴ２がＯＮ状態となる。このように、＋電極と−電極との間に電位差が生じるとトランジスタＴ２がＯＮ状態となり、コレクタとエミッタとが接続されるため、ＣＰＵ４の図示しないポートにおける電圧が低下し、信号が検出される。これに対して、＋電極と−電極との間に電位差が生じてないとトランジスタＴ１とＴ２とが共にＯＦＦ状態となるため、コレクタとエミッタとが切断され、ＣＰＵ４のポートには高い電圧が供給される。
【００３８】
また、前述の如く、リモコン信号は所定のキャリアに重畳されて電送されるが、キャリア除去部においてその高周波数成分が除去されるため、正味の信号のみがＣＰＵ４に供給される。なお、ここで示すＣＰＵ４は、ポートに供給される電圧が０またはこれに近い値の場合に、これを信号として検出するため、Ｈ／Ｌ反転部２によりＨとＬとを反転させたが、５Ｖまたはこれに近い値の電圧が供給された場合に、これを信号として検出するタイプのＣＰＵを使用する場合には、Ｈ／Ｌ反転部２は必要がない。
【００３９】
そして、ＣＰＵはこのようにして供給されるリモコン信号を検出するが、外部機器からは、電源をＯＮにするコマンド、録画開始コマンド、録画停止コマンド、電源をＯＦＦにするコマンドが順に送信される。なお、前述の如く電源をＯＮにするコマンドと電源をＯＦＦにするコマンドは、同一のコマンドとなっている。
【００４０】
まず、外部機器でタイマー予約された番組の開始直前に電源をＯＮにするコマンドが送信されると、これを受けたＣＰＵ４は、装置の電源をＯＮにし、これに続き映像信号切換部６及び音声信号切換部９を制御して、第１の映像信号入力端子Ｖ１ｉｎ及び第１の音声信号入力端子Ａ１ｉｎからの信号を選択させる。
【００４１】
そして、タイマー予約された番組の開始時刻になると録画開始コマンドが送信されるため、ＣＰＵ４は、映像信号記録部７と音声信号記録部１０とを制御し、映像信号及び音声信号の記録媒体２０への記録を開始させる。なお、本映像音声信号記録装置は、リンク予約モードによる録画実行中は、操作部１３を介した電源ＯＦＦ等の指示は受け付けない。
【００４２】
その後、タイマー予約された番組の終了時刻となると録画停止コマンドと電源をＯＦＦにするコマンドとが送信され、ＣＰＵ４は、映像信号記録部７と音声信号記録部１０とを制御し、映像信号及び音声信号の記録媒体２０への記録を停止させた後に、装置の電源をＯＦＦにする。このようにして、リンク予約モードによる外部機器のタイマー予約動作に連動した録画が完了する。
【００４３】
以上の如く、本発明に係る映像音声信号記録装置では、外部機器からのリモコン信号を直接受信して、録画動作を実行させているため、外部機器がタイマー予約とは無関係に電源ＯＮされた場合でも誤って録画をすることがなく、外部機器のタイマー予約動作に連動した録画を確実に行うことができる。
【００４４】
また、カセットの挿入を忘れたり、記録防止制御用孔が存在するカセット、つまり、記録禁止のカセットを挿入した場合に警告表示がされるため、本映像音声信号記録装置が録画を開始できる状態となっているか否かを確認することができる。
【００４５】
また、番組の録画開始に先立ち、第１の映像信号入力端子Ｖ１ｉｎ及び第１の音声信号入力端子Ａ１ｉｎからの信号を選択するよう切り換えがなされていなくても、電源をＯＮにするコマンドを受信して、電源をＯＮにした後に自動的に入力の切り換えを行うため、チューナ５で受信した番組や他の入力端子からの番組を誤って録画してしまうという事態を防止することができる。
【００４６】
なお、ここでは、外部機器から電源をＯＮにするコマンドを受信した事に応答して、装置の電源をＯＮする共に、第１の映像信号入力端子Ｖ１ｉｎ及び第１の音声信号入力端子Ａ１ｉｎからの信号を選択させた例を示したが、これに限らず、例えば操作部１３で所定のボタンが押された際に、まず、第１の映像信号入力端子Ｖ１ｉｎ及び第１の音声信号入力端子Ａ１ｉｎからの信号を選択させ、その後で映像音声信号記録装置を待機状態にし、装置の電源をＯＮする際には、単に待機状態以前の状態に復帰させるよう制御しても良い。
【００４７】
一方、コントロール信号出力端子ＣＴＬｏｕｔを備えない外部機器のタイマー予約動作に連動して録画を行う際は、使用者がメニュー画面にて着信予約モードを設定して録画を行うことになる。なお、着信予約モードにおいては、まず、使用者が操作部１３にて所定のボタンを押して映像信号記録再生装置を待機状態にするが、ＣＰＵ４は、待機状態に移行させる直前に映像信号切換部６及び音声信号切換部９を制御することにより、第１の映像信号入力端子Ｖ１ｉｎ及び第１の音声信号入力端子Ａ１ｉｎからの信号が選択出力されるよう切り換えを行う。
【００４８】
そして、タイマー予約された番組の開始時刻になると第１の映像信号入力端子Ｖ１ｉｎを介して映像信号が入来し、映像信号切換部６はこれを選択出力する。従って、同期信号検出部８は、映像信号に含まれる同期信号を検出することになり、同期信号が検出されると、同期信号検出部８はＣＰＵ４に対して検出信号を出力する。
【００４９】
そして、ＣＰＵ４は、同期信号検出部８から検出信号が出力されると、映像信号記録部７と音声信号記録部１０とを制御し、映像信号及び音声信号の記録媒体２０への記録を開始させる。また、録画実行中は、リンク予約モードと同様に、操作部１３を介した電源ＯＦＦ等の指示は受け付けない。
【００５０】
その後、タイマー予約された番組の終了時刻となると同期信号検出部８において、同期信号が検出されなくなるため、ＣＰＵ４は、映像信号記録部７と音声信号記録部１０とを制御し、映像信号及び音声信号の記録媒体２０への記録を停止させ、その後で装置の電源をＯＦＦにする。このようにして、着信予約モードによる外部機器のタイマー予約動作に連動した録画が完了する。
【００５１】
以上の如く、本発明に係る映像音声信号記録装置では、リンク予約モードと着信予約モードとを切り換えて使用できるため、コントロール信号出力端子ＣＴＬｏｕｔを備える外部機器でも、この端子を備えない外部機器でもタイマー予約動作に連動した録画を行うことができ、外部機器がコントロール信号出力端子ＣＴＬｏｕｔを備える場合には、より確実に録画を行うことができる。
【００５２】
【発明の効果】
請求項１に係る発明によれば、電源がオフとなり記録媒体の排出が禁止された待機状態において、リモコン信号受信端子を介してリモコン信号が入来した場合に、リモコン信号に応じた動作を行うため、外部機器がタイマー予約とは無関係に動作した場合に、誤って録画を開始してしまう事態を防止することができるばかりでなく、外部機器のタイマー予約動作に連動した確実な録画を行うことができるという効果を奏する。
【００５３】
また、請求項２又は３に係る発明によれば、外部機器から出力される電源のオンを示すリモコン信号、又は、待機状態が設定されることに応答して、外部機器からの信号を選択出力するよう選択出力部を制御するため、チューナで受信した番組等を誤って録画してしまう事態を防止できるという効果を奏する。
【００５４】
更に、請求項４に係る発明によれば、待機状態が設定された状態で記録媒体が挿入されていることが検出されなかった場合には、警告表示が行われるため、本映像音声信号記録装置が録画を開始できる状態となっているか否かを確認することができるという効果を奏する。
【００５５】
更に、請求項５に係る発明によれば、外部機器と接続されるケーブルにおける第１の信号線と第２の信号線との間の電位差を検出することによりリモコン信号を検出しているため、リモコン信号が第１の信号線の電位のみを変化させて伝送される場合でも、また、第２の信号線の電位のみを変化させて伝送されるでも確実にこのリモコン信号を検出できるという効果を奏する。
【００５６】
更に、請求項６に係る発明によれば、搬送波除去部を備えるため、リモコン信号が搬送波に重畳して伝送される場合でも、このリモコン信号を確実に検出できるという効果を奏する。
【００５７】
更に、請求項７に係る発明によれば、待機状態が設定されている期間中に入来するリモコン信号に応答して記録を開始させる第１のモードと、待機状態が設定されている期間中に同期信号が検出されたことに応答して記録を開始させる第２のモードとを備えるため、外部機器がリモコン信号を出力するための端子を備えない場合であっても、この外部機器の動作に連動して録画を行うことができるという効果を奏する。
【図面の簡単な説明】
【図１】本発明に係る映像音声信号記録装置と外部機器との接続状態とを説明するための図である。
【図２】本発明に係る映像音声信号記録装置の構成を説明するためのブロック図である。
【図３】ＣＰＵにリモコン信号を供給するための構成を詳細に示す図である。
【図４】赤外光等によるリモコン制御によってＶＴＲを動作させるシステムを示す図である。
【符号の説明】
１…信号検出部
２…Ｈ／Ｌ反転部
３…キャリア除去部
４…ＣＰＵ
５…チューナ
６…映像信号切換部
７…映像信号記録部
８…同期信号検出部
９…音声信号切換部
１０…音声信号記録部
１１…カセット有無検出部
１２…カセット孔検出部
１３…操作部
２０…記録媒体
１００…映像音声信号記録装置
２００…第１の受信機
３００…第２の受信機
４００…ＶＴＲ
５００…受信機
【図１】
0003855674.tif 000002
【図２】
0003855674.tif 000003
【図３】
0003855674.tif 000004
【図４】
0003855674.tif 000005